(57)【要約】【課題】  本発明は植物の葉や花に絵の具を塗っても、はじいたりすることがないように、アルコールを混合した絵の具を用いることにより、驚くほど美しく、葉の細部まで、シート状のものから、立体的なものにも写し染めすることができるとともに、変色や染め落ちするのを効率よく阻止することができる植物の拓葉方法を得るにある。【解決手段】  アクリルエマルジョン、アラビアガム、トラガカントガム等の固定剤が混合された顔料にアルコールを混合した絵の具を、写し取る植物に塗布する絵の具の塗布工程と、この絵の具の塗布工程で絵の具が塗布された植物を、写し染めされる物へ押し圧して写し染める写し染め工程と、この写し染め工程中あるいは写し染め工程後に、絵の具が塗布された植物の背面あるいは染められた部位にアイロン掛けを行なうアイロン掛け工程とで植物の拓葉方法を構成している。【選択図】  図１
2006159884.tif 000002
【特許請求の範囲】
【請求項１】
アクリルエマルジョン、アラビアガム、トラガカントガム等の固定剤が混合された顔料にアルコールを混合した絵の具を、写し取る植物に塗布する絵の具の塗布工程と、この絵の具の塗布工程で絵の具が塗布された植物を、写し染めされる物へ押し圧して写し染める写し染め工程と、この写し染め工程中あるいは写し染め工程後に、絵の具が塗布された植物の背面あるいは染められた部位にアイロン掛けを行なうアイロン掛け工程とを含むことを特徴とする植物の拓葉方法。
【請求項２】
アクリルエマルジョン、アラビアガム、トラガカントガム等が混合された顔料にアルコールを混合した絵の具を、写し取る植物に塗布する絵の具の塗布工程と、この絵の具の塗布工程で絵の具が塗布された植物を、写し染めされる物へ押し圧して写し染める写し染め工程とを含むことを特徴とする植物の拓葉方法。
【請求項３】
アクリルエマルジョン、アラビアガム、トラガカントガム等の固定剤が混合された顔料にアルコールを混合した絵の具を、写し取る植物に塗布する絵の具の塗布工程と、この絵の具の塗布工程で絵の具が塗布された植物を、写し染めされる物へ熱を加えながら押し圧して写し染める写し染め工程とを含むことを特徴とする植物の拓葉方法。
【請求項４】
絵の具の塗布工程は写し取る植物に直接塗布あるいは粘着剤や糊等の付着剤を介して植物に塗布することを特徴とする請求項１、２、３いずれかに記載の植物の拓葉方法。
【請求項５】
絵の具の塗布工程は写し取る植物に直接塗布あるいは粘着剤や糊等の付着剤を介して絵の具を植物に塗布するとともに、塗布した絵の具が乾燥した後、上面にホットメルト樹脂あるいは粘着剤や糊等の固定剤を塗布することを特徴とする請求項１、２、３いずれかに記載の植物の拓葉方法。
【請求項６】
写し染め工程は写し染めされる物へ絵の具が塗布された植物の、絵の具が塗布された面を当接するように配置し、その上に吸い取り紙とシートを配置し、指先あるいはローラやヘラを用いてシート、吸い取り紙を介して絵の具が塗布された植物を写し染めされる物へ押し圧することを特徴とする請求項１、２いずれかに記載の植物の拓葉方法。
【発明の詳細な説明】
【技術分野】
【０００１】
本発明は植物の葉や花を、紙や布地等に写し染めする植物の拓葉方法に関する。
【背景技術】
【０００２】
従来の拓葉または葉拓は、葉に墨や絵の具を塗り、スタンプのようにして行なっていた。
【０００３】
このような方法では、葉の形や葉脈を細かく写し出すことができないという欠点があった。
また、葉の種類によっては絵の具をはじいて、斑に絵の具が塗られた状態となり、うまくできないという欠点があった。
【特許文献１】特になし
【発明の開示】
【発明が解決しようとする課題】
【０００４】
本発明は以上のような従来の欠点に鑑み、植物の葉や花に絵の具を塗っても、はじいたりすることがないように、アルコールを混合した絵の具を用いることにより、驚くほど美しく、葉の細部まで、シート状のものから、立体的なものにも写し染めすることができるとともに、変色や染め落ちするのを効率よく阻止することができる植物の拓葉方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はアクリルエマルジョン、アラビアガム、トラガカントガム等の固定剤が混合された顔料にアルコールを混合した絵の具を、写し取る植物に塗布する絵の具の塗布工程と、この絵の具の塗布工程で絵の具が塗布された植物を、写し染めされる物へ押し圧して写し染める写し染め工程と、この写し染め工程中あるいは写し染め工程後に、絵の具が塗布された植物の背面あるいは染められた部位にアイロン掛けを行なうアイロン掛け工程とで植物の拓葉方法を構成している。
【発明の効果】
【０００７】
以上の説明から明らかなように、本発明にあっては次に列挙する効果が得られる。
【０００８】
（１）アクリルエマルジョン、アラビアガム、トラガカントガム等の固定剤が混合された顔料にアルコールを混合した絵の具を、写し取る植物に塗布する絵の具の塗布工程と、この絵の具の塗布工程で絵の具が塗布された植物を、写し染めされる物へ押し圧して写し染める写し染め工程と、この写し染め工程中あるいは写し染め工程後に、絵の具が塗布された植物の背面あるいは染められた部位にアイロン掛けを行なうアイロン掛け工程とで構成されているので、植物に塗布した絵の具を、写し染めされる物へ写し染めすることができる。
したがって、植物の輪郭はもちろん、色もきれいに写し染めされる物へ写し染めすることができる。
【０００９】
（２）前記（１）によって、絵の具を用いているので、自分の好みの色で写し染めされる物へ写し染めすることができる。
したがって、色の選択幅を著しく向上させることができる写し染めを行なうことができる。
【００１０】
（３）前記（１）によって、アクリルエマルジョン、アラビアガム、トラガカントガム等が混合された顔料にアルコールを混合した絵の具を用いているので、泡立たなく、浸透性が高いため、ムラなく塗布することができるとともに、アルコールによって短時間に乾燥させることができる。
【００１１】
（４）前記（１）によって、植物に塗布した絵の具を写し染めされる物へ写し染めするため、従来の植物の色素を写し染めするものと比べ、楽に押し圧して写し染めを行なうことができる。
【００１２】
（５）前記（１）によって、絵の具が塗布された植物を写し染めされる物へ押し圧して写し染めするので、写し染めされる物が紙、布地はもちろんのこと、立体的なものであっても容易に写し染めすることができる。
【００１３】
（６）前記（１）によって、アイロン掛け工程を行なうことにより、顔料に混合されたアクリルエマルジョン、アラビアガム、トラガカントガム等が写し染めされる物へ確実に付着して、変色や色落ちを効率よく阻止することができる。
【００１４】
（７）請求項２も前記（１）〜（５）と同様な効果が得られる。
【００１５】
（８）請求項３も前記（１）〜（６）と同様な効果が得られる。
【００１６】
（９）請求項４も前記（１）〜（６）と同様な効果が得られるとともに、絵の具をはじく植物でも、きれいに絵の具を塗布することができる。また、植物の色素の吸収や、はみ出した絵の具を吸収して、きれいに写し染め工程を行なうことができる。
【００１７】
（１０）請求項５も前記（１）〜（６）、（９）と同様な効果が得られるとともに、写し染めされる物へ絵の具の上面の固定剤によって、確実に固定することができ、かつ皮膜の厚い写し染めができるため、目が粗かったり、色の濃い写し染めされる物へでも美しく、確実に写し染めすることができる。
【００１８】
（１１）請求項６も前記（１）〜（６）、（９）と同様な効果が得られる。
【発明を実施するための最良の形態】
【００１９】
以下、図面に示す本発明を実施するための最良の形態により、本発明を詳細に説明する。
【００２０】
図１ないし図５に示す本発明を実施するための最良の第１の形態において、１は本発明の植物の拓葉方法で、この植物の拓葉方法１はアクリルエマルジョン、アラビアガム、トラガカントガム等の固定剤２が混合された顔料３にアルコール４を混合した絵の具５を、写し取る植物の葉や花、本発明を実施するための形態では植物の葉６に塗布する絵の具の塗布工程７と、この絵の具の塗布工程７で絵の具５が塗布された植物の葉６を写し染めされる物８、本発明を実施するための形態では紙あるいは布地へ押し圧して写し染める写し染め工程９と、この写し染め工程９中に絵の具５が塗布された植物の葉６の背面にアイロン１０を用いてアイロン掛けを行なうアイロン掛け工程１１とで構成されている。
【００２１】
前記絵の具の塗布工程７は図２に示すように、絵の具の塗布作業を一般的に行なう筆や刷毛を用いたり、あるいは塗料を塗布するようにスプレーで行なったりするが、植物の写し染めしたい部位、例えば葉であれば一方の面にだけ絵の具５を塗布する。
また、使用する絵の具５はアクリル絵の具、水彩絵の具、パステル等にアルコールを混合したものを用いてもよい。
【００２２】
前記写し染め工程９は図３に示すように、紙や布地等の写し染めされる物８をテーブル１２上に敷き、この写し染めされる物８の上面に絵の具５が塗布された部位の植物の葉６を配置する。
しかる後、ティシュッペーパーや吸水紙等の吸い取り紙１３を植物の葉６の上に位置させるとともに、該吸い取り紙１３の上に透明あるいは半透明の合成樹脂シート１４を位置させる。
この状態で、合成樹脂シート１４の上部より指先、ローラ、ヘラ等を用いて押し圧し、植物の葉６に塗布した絵の具５を写し染めされる物８へ写し染めさせる。
この時、植物の葉６よりはみ出す絵の具５は吸い取り紙１３に吸い取られ、写し染めされる物８への付着を効率よく阻止するとともに、透明あるいは半透明の合成樹脂シート１４、吸い取り紙１３を介して、植物の葉６の押し圧状態を把握して、均一な押し圧を行なうことができる。
【００２３】
前記アイロン掛け工程１１は図４に示すように、植物の葉６に塗布された絵の具５が写し染めされる物８に十分に付着したところで、合成樹脂シート１４や吸い取り紙１３を除去して、植物の葉６あるいは該植物の葉６の上に布地１５を位置させて、アイロン１０を用いてアイロン掛けを行なうことにより、絵の具５に混合されたアクリルエマルジョン、アラビアガム、トラガカントガム等が溶着状態となって、写し染めされる物８に定着される。
しかる後、植物の葉６を除去するため、アイロン掛けによって植物の葉６を写し染めするもの８からの除去に手数がかかる場合には、写し染め工程９で合成樹脂シート１４、吸い取り紙１３および植物の葉６を除去した後、写し染めされた物８の写し染め部位８ａをアイロン掛けを行なうアイロン掛け工程１１Ａを行なうとよい。
また、絵の具５をはじくような植物の葉６の場合には、植物の葉６に糊、スプレー糊や粘着剤等の付着剤を均等に付着させてから、絵の具５を塗布することにより、確実に全面にきれいに塗布することができる。
【００２４】
上記構成の植物の拓葉方法１は、植物の葉６に絵の具５を塗布し、その絵の具５が塗布された部分が写し染めされる物８に転写状態で写し染めされるため、植物の葉６の輪郭はもちろん、葉脈の細部まできれいに写すことができる。
[発明を実施するための異なる形態]
【００２５】
次に、図６ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２６】
図６ないし図８に示す本発明を実施するための第２の形態において、前記本発明を実施するための最良の第１の形態と主に異なる点は、素焼きの陶器等の立体的な写し染めされる物８Ａに写し染め工程９Ａを行なった点で、このような写し染め工程９Ａを用いた植物の拓葉方法１Ａでも、前記本発明を実施するための最良の第１の形態と同様な作用効果が得られる。
なお、本発明を実施するための形態ではアイロン掛け工程１１では、アイロンの代わりに熱ゴテ、オーブンやドライヤー等を用いてもよい。
【００２７】
図９ないし図１１に示す本発明を実施するための第３の形態において、前記本発明を実施するための最良の第１の形態と主に異なる点は、絵の具５を吸収しずらい植物の葉６に絵の具の塗布工程７を行なうとともに、この絵の具の塗布工程７で塗布された絵の具５が未乾燥、あるいは乾燥後にアイロン掛けにより、押し圧しながら熱を加える写し染め工程９Ｂを用いた点で、このような植物の拓葉方法１Ｂでも、前記本発明を実施するための最良の第１の形態と同様な作用効果が得られる。
【００２８】
図１２ないし図１４に示す本発明を実施するための第４の形態において、前記本発明を実施するための最良の第１の形態と主に異なる点は、絵の具５を植物の葉６に直接塗布あるいは粘着剤や糊等の付着剤１６を介して塗布するとともに、塗布した絵の具５が乾燥した後、その上面に固定剤としてのアクリル樹脂等のホットメルト樹脂１７を塗布する絵の具の塗布工程７Ａを行なった点で、このような絵の具の塗布工程７Ａを用いることにより、布や紙等の写し染めされる物８に絵の具の塗布工程７Ａを経た植物の葉６のホットメルト樹脂１７が塗布された面を当接させ、植物の葉６の裏面より押し圧しながら熱を加えるアイロン掛けを行なう写し染め工程９Ｂで、前記本発明を実施するための最良の第１の形態と同様な写し染めができるとともに、目が粗かったり、色の濃い写し染めされる物８にでも固定剤としてのホットメルト樹脂１７で確実に固定でき、かつ皮膜も厚くなるため、美しく写し染めすることができる植物の拓葉方法１Ｃとなる。
【００２９】
図１５ないし図１７に示す本発明を実施するための第５の形態において、前記本発明を実施するための最良の第１の形態と主に異なる点は、絵の具５を写し取る植物の葉６に直接塗布あるいは粘着剤や糊等の付着剤１６を介して塗布するとともに、塗布した絵の具５が乾燥した後、その上面に固定剤としての粘着剤や糊１８を塗布する絵の具の塗布工程７Ｂを行なった点で、このような絵の具の塗布工程７Ｂを用いることにより、写し染めされる物８に絵の具の塗布工程７Ｂを経た植物の葉６の粘着剤や糊１８が塗布された面を当接させ、植物の葉６の裏面に布、紙、木、ガラス等の当て物１９を当て、指先、ローラ、ヘラ等を用いて押し圧する写し染め工程９で、前記本発明を実施するための最良の第１の形態と同様な写し染めができるとともに、目が粗かったり、色の濃い写し染めされる物８にでも、固定剤としての粘着剤や糊１８によって確実に固定でき、かつ皮膜も厚くなるため、美しく写し染めすることができる植物の拓葉方法１Ｄとなる。
【００３０】
なお、前記本発明を実施するための各形態では植物の葉６を用いるものについて説明したが、本発明はこれに限らず、花や枝を用いても同様に実施することができるとともに、植物は生の物や押し花を用いてもよい。
また、押し花や薄い植物を用いる場合には、アイロン掛けを行なうとアイロンにくっついて貼り付いてしまうことがあるので、このような場合には水を沁み込ませた押し花や薄い植物を使用したり、アイロン掛け時に湿布を介して熱を加えると、このような不具合を解消することができる。
【産業上の利用可能性】
【００３１】
本発明は植物の葉等を絵の具が塗布される紙、布地、立体物等に写し染めする植物の拓葉をする産業や、該植物の拓葉を教育する産業で利用される。
【図面の簡単な説明】
【００３２】
【図１】本発明を実施するための最良の第１の形態の工程図。
【図２】本発明を実施するための最良の第１の形態の絵の具の塗布工程の説明図。
【図３】本発明を実施するための最良の第１の形態の写し染め工程の説明図。
【図４】本発明を実施するための最良の第１の形態のアイロン掛け工程の説明図。
【図５】本発明を実施するための最良の第１の形態の写し染めされた状態の説明図。
【図６】本発明を実施するための第２の形態の工程図。
【図７】本発明を実施するための第２の形態の写し染め工程の説明図。
【図８】本発明を実施するための第２の形態のアイロン掛け工程の説明図。
【図９】本発明を実施するための第３の形態の工程図。
【図１０】本発明を実施するための第３の形態の写し染め工程の説明図。
【図１１】本発明を実施するための第３の形態の写し染めされた状態の説明図。
【図１２】本発明を実施するための第４の形態の工程図。
【図１３】本発明を実施するための第４の形態の絵の具の塗布工程の説明図。
【図１４】本発明を実施するための第４の形態の写し染め工程の説明図。
【図１５】本発明を実施するための第５の形態の工程図。
【図１６】本発明を実施するための第５の形態の絵の具の塗布工程の説明図。
【図１７】本発明を実施するための第５の形態の写し染め工程の説明図。
【符号の説明】
【００３３】
１、１Ａ、１Ｂ、１Ｃ、１Ｄ：植物の拓葉方法、
２：固定剤、                                    ３：顔料、
４：アルコール、                            ５：絵の具、
６：植物の葉、                                ７、７Ａ、７Ｂ：塗布工程、
８、８Ａ：写し染めされる物、    ９、９Ａ、９Ｂ：写し染め工程、
１０：アイロン、                            １１、１１Ａ：アイロン掛け工程、
１２：テーブル、                            １３：吸い取り紙、
１４：合成樹脂シート、                １５：布地、
１６：付着剤、
１７：固定剤としてのホットメルト樹脂、
１８：固定剤としての粘着剤や糊、
１９：当て物。
【図１】
2006159884.tif 000003
【図２】
2006159884.tif 000004
【図３】
2006159884.tif 000005
【図４】
2006159884.tif 000006
【図５】
2006159884.tif 000007
【図６】
2006159884.tif 000008
【図７】
2006159884.tif 000009
【図８】
2006159884.tif 000010
【図９】
2006159884.tif 000011
【図１０】
2006159884.tif 000012
【図１１】
2006159884.tif 000013
【図１２】
2006159884.tif 000014
【図１３】
2006159884.tif 000015
【図１４】
2006159884.tif 000016
【図１５】
2006159884.tif 000017
【図１６】
2006159884.tif 000018
【図１７】
2006159884.tif 000019